【手続補正書】
【提出日】平成28年3月28日(2016.3.28)
【手続補正１】
【補正対象書類名】明細書
【補正対象項目名】００３７
【補正方法】変更
【補正の内容】
【００３７】
また、前記特許文献１には、クライアントからの指示に基づき、移行元ＤＢをデータクレンジング処理するデータクレンジング処理部を有し、ユーザが、移行先システムのデータの妥当性を判断することが可能なデータ移行システムが記載されている。しかし、複数のデータ提供者から複数のデータを受信、収集し、複数のデータ享受者にデータクレンジング処理したデータを提供するシステムにおいて、データクレンジング処理をシステム的に行う、ことまでは考慮されていない。特許文献２，３も同様である。
【手続補正２】
【補正対象書類名】明細書
【補正対象項目名】００９８
【補正方法】変更
【補正の内容】
【００９８】
同図において、元データには、元データ主キー（「１」、「２」、「３」、「４」、・・・）、購入日（「２０１３．３．２」、「２０１３．３．２」、「２０１３．３．３」、「２０１３．３．４」、・・・）、店舗名（「渋谷中央」、「大崎東」、「大崎東」、「品川本店」、・・・）、顧客名（「○田□郎」、「○木□郎」、「○立□郎」、「Ｊフェリー」、・・・）、商品名（「光学式マウス」、「４色ボールペン」、「１００枚名刺入れ」、「筆箱」、・・・）、購入数（「５」、「１００」、「１０」、「５」、・・・）、金額（「１００００」、「２０，０００」、「３０，０００」、「４００００」、・・・）、などの各情報４０１〜４０７を含んでいる。
【手続補正３】
【補正対象書類名】明細書
【補正対象項目名】０１０２
【補正方法】変更
【補正の内容】
【０１０２】
同図において、データ提供者マスタは、データ提供者ＩＤ（「１」、「２」、「３」、・・・）、データ提供者名（「かかか商店  株式会社」、「きききホテル  株式会社」、「けけけ美容院  株式会社」、・・・）、などの各情報６０１〜６０２を含んでいる。
【手続補正４】
【補正対象書類名】明細書
【補正対象項目名】０１０６
【補正方法】変更
【補正の内容】
【０１０６】
同図において、フィールド型属性マスタは、フィールド型属性ＩＤ（「１」、「２」、「３」、「４」、「５」、「６」、「７」、「８」、・・・）、属性（「データ番号」、「購入日」、「名前」、「住所」、「電話番号」、「金額」、「数量」、「日付」、・・・）などの各情報８０１〜８０２を含んでいる。
【手続補正５】
【補正対象書類名】明細書
【補正対象項目名】０１０７
【補正方法】変更
【補正の内容】
【０１０７】
図９サービス基盤事業者用サーバにて網羅的に準備してある不正値マスタを示すテーブルである。
同図において、不正値マスタは、不正値ＩＤ（「１」、「２」、「３」、「４」、・・・）、不正値の型（「空白」、「全角半角不統一」、「不正文字」、「非フォーマット」、・・・）などの各情報９０１〜９０２を含んでいる。
【手続補正６】
【補正対象書類名】明細書
【補正対象項目名】０１０９
【補正方法】変更
【補正の内容】
【０１０９】
同図において、処理方法マスタは、処理方法ＩＤ（「１」、「２」、「３」、「４」、「５」、「６」、「７」、「８」、「９」、・・・）、処理（「何もしない」、「レコード全てを削除」、「空白にする」、「平均値に置き換える」、「英数字を全角文字にする」、「データ享受者のデフォルトデータクレンジング処理ポリシに従う⇒Ｐ社デフォルトデータクレンジング処理ポリシＣｐ」、「データ提供者のデータクレンジング処理ポリシに従う⇒Ａ社元データＩａ用Ａ社データクレンジング処理ポリシＣａＩａ」、「基盤事業者デフォルトデータクレンジング処理ポリシに従う⇒基盤事業者デフォルトデータクレンジング処理ポリシＣｇ」、「データ提供者のデフォルトデータクレンジング処理ポリシに従う⇒Ａ社デフォルトデータクレンジング処理ポリシＣａ」、・・・）、などの各情報１００１〜１００２を含んでいる。
【手続補正７】
【補正対象書類名】明細書
【補正対象項目名】０１１１
【補正方法】変更
【補正の内容】
【０１１１】
同図において、データクレンジング処理ポリシ設定画面には、横方向にフィールド名７０３（図７参照）の「データ番号」７０３１、「購入日」７０３２、「店舗名」７０３３、「顧客名」７０３４、「商品名」７０３５、「購入数」７０３６、「金額」７０３７、及び当該フィールド名のフィールド型属性の「主キー」７０４１’、「日付」７０４２’、「名前」７０４３’、「名前」７０４４’、「名前」７０４５’、「数量」７０４６’、「金額」７０４７’などが表示される。
また、縦方向には、「不正値」（図９参照）の「空白」、「全角半角不統一」、「不正文字」、「非フォーマット」、などが表示される。
そして、「不正値」に対応する「フィールド型属性」は、セレクトボックスをもって、処理方法〈図１０参照〉の処理ＩＤ（１〜９、・・・）を設定する。
【手続補正８】
【補正対象書類名】明細書
【補正対象項目名】０１１３
【補正方法】変更
【補正の内容】
【０１１３】
同図において、デフォルトデータクレンジング処理ポリシマスタは、データ提供者ＩＤ（「１」、「１」、「１」、「１」、・・・）、元データソースＩＤ（「１」、「１」、「１」、「１」、・・・）、元データフィールドＩＤ（「１」・・・、「２」・・・、「３」・・・、「４」・・・、・・・）、元データフィールド名（「元データ主キー」・・・、「購入日」・・・、「店舗名」・・・、「顧客名」、・・・）、不正値ＩＤ（「１」、「２」、「３」、「４」、「１」、「２」、「３」、「４」、「１」、「２」、「３」、「４」・・・）、処理方法ＩＤ（「２」、「２」、「２」、「２」、「１」、「１」、「３」、「３」、「１」、「５」、「３」、「３」、「１」、「５」、「５」、「３」）、などの各情報１２０１〜１２０６を含んでいる。
【手続補正９】
【補正対象書類名】明細書
【補正対象項目名】０１１７
【補正方法】変更
【補正の内容】
【０１１７】
同図において、データクレンジング処理ポリシマスタは、データ享受者ＩＤ（「１」、「１」、「１」、「１」、・・・）、元データソースＩＤ（「１」、「１」、「１」、「１」、・・・）、元データフィールドＩＤ（「１」・・・、「２」・・・、「３」・・・、「４」・・・、・・・）、元データフィールド名（「元データ主キー」・・・、「購入日」・・・、「店舗名」・・・、「顧客名」、・・・）、不正値ＩＤ（「１」、「２」、「３」、「４」、「１」、「２」、「３」、「４」、「１」、「２」、「３」、「４」・・・）、処理方法ＩＤ（「２」、「２」、「２」、「２」、「１」、「１」、「３」、「３」、「１」、「５」、「３」、「３」、「１」、「５」、「５」、「３」）、などの各情報１４０１〜１４０６を含んでいる。
【手続補正１０】
【補正対象書類名】明細書
【補正対象項目名】０１２１
【補正方法】変更
【補正の内容】
【０１２１】
一方、データ享受者（Ｐ社）用サーバ１２１６は、ステップＳ１２１６１にて、データＩａフィールド型属性情報ＦＩａ及びデータクレンジング処理ポリシＣａＩａを要求し、ステップＳ１２１６３にて、サービス基盤事業者用サーバ３１に対して、データクレンジング処理したデータ（データクレンジング処理後データ）の享受を要求すると共にデータクレンジング処理ポリシＣｐＩａを送信する。
【手続補正１１】
【補正対象書類名】明細書
【補正対象項目名】０１３３
【補正方法】変更
【補正の内容】
【０１３３】
基盤事業者側は、Ａ社デフォルトデータクレンジング処理ポリシＣａ、Ａ社元データＩａ、Ａ社元データＩａのフィールド型属性ＦＩａ（図８参照）およびＡ社データＩａ用デフォルトデータクレンジング処理ポリシＣａＩａを受信し、これらを記憶装置のデータクレンジング処理ポリシ情報管理ＤＢ３１２２に格納する（図１２参照）。
【手続補正１２】
【補正対象書類名】明細書
【補正対象項目名】０１４２
【補正方法】変更
【補正の内容】
【０１４２】
また、ステップＳ１１１４にて、「フィールド型属性マスタ」（図８参照）からフィールド型属性一覧を取得し、フィールド型属性の値を「データクレンジング処理ポリシ設定画面」の横軸に表示する。
【手続補正１３】
【補正対象書類名】明細書
【補正対象項目名】０１４３
【補正方法】変更
【補正の内容】
【０１４３】
ステップＳ１１１６にて、「処理方法マスタ」から処理方法ＩＤを取得し、当該処理方法の値を「データクレンジング処理ポリシ設定画面」の値欄で選択可能に表示する。
【手続補正１４】
【補正対象書類名】明細書
【補正対象項目名】０１４４
【補正方法】変更
【補正の内容】
【０１４４】
ステップＳ１１１７にて、データ享受者側では、「データクレンジング処理ポリシ設定画面」で各「フィールド型属性」の各「不正値」に対する「処理方法」を設定し、ステップＳ１１１８にて、当該設定した「処理方法」を基盤事業者（サーバ）側に送信する。
基盤事業者側は、基盤事業者側からの「処理方法」を受け、当該「処理方法」を元に、ステップＳ１１１９にて、「データクレンジング処理ポリシマスタ」を作成し、記憶装置に記憶する。
【手続補正１５】
【補正対象書類名】明細書
【補正対象項目名】０１４７
【補正方法】変更
【補正の内容】
【０１４７】
基盤事業者側は、ステップＳ１１２２にて、「フィールド型属性マスタ」、「不正値マスタ」、「処理方法マスタ」から「データクレンジング処理ポリシ設定画面」を利用して「基盤事業者データクレンジング処理ポリシＣｇ」を設定する。
【手続補正１６】
【補正対象書類名】明細書
【補正対象項目名】０１４８
【補正方法】変更
【補正の内容】
【０１４８】
データ提供者Ａ社は、ステップＳ１１２３にて、「フィールド型属性マスタ」「不正値マスタ」「処理方法マスタ」から「データクレンジング処理ポリシ設定画面」を利用して「Ａ社デフォルトデータクレンジング処理ポリシＣａ」を設定する。
【手続補正１７】
【補正対象書類名】明細書
【補正対象項目名】０１５０
【補正方法】変更
【補正の内容】
【０１５０】
データ提供者Ａ社は、ステップＳ１１２５にて、基盤事業者に「A社元データＩａ」の「フィールド型属性情報ＦＩａ」を送信する。
【手続補正１８】
【補正対象書類名】明細書
【補正対象項目名】０１５４
【補正方法】変更
【補正の内容】
【０１５４】
図２０において、データ享受者Ｐ社は、ステップＳ１４１１にて、基盤事業者から「フィールド型属性マスタ」、「不正値マスタ」、「処理方法マスタ」を取り込み、「データクレンジング処理ポリシ設定画面」を利用して「Ｐ社デフォルトデータクレンジング処理ポリシＣｐ」を作成して、基盤事業者に送信する。
【手続補正１９】
【補正対象書類名】明細書
【補正対象項目名】０１５５
【補正方法】変更
【補正の内容】
【０１５５】
データ享受者Ｐ社は、ステップＳ１４１２にて、基盤事業者から「Ａ社データＩａ用フィールド型属性情報ＦＩａ」及び「Ａ社データＩａ用データクレンジング処理ポリシＣａＩａ」を取り込む。
【手続補正２０】
【補正対象書類名】明細書
【補正対象項目名】０１５６
【補正方法】変更
【補正の内容】
【０１５６】
データ享受者Ｐ社は、ステップＳ１４１３にて、「Ａ社データＩａ用フィールド型属性情報ＦＩａ」及び「Ａ社データＩａ用データクレンジング処理ポリシＣａＩａ」を参照して「データクレンジング処理ポリシ設定画面」を利用して「Ａ社元データＩａ用Ｐ社データクレンジング処理ポリシＣｐＩａ」を作成して、基盤事業者に送信する。
【手続補正２１】
【補正対象書類名】明細書
【補正対象項目名】０１８４
【補正方法】変更
【補正の内容】
【０１８４】
ＩＤ＝１、ＩＤ＝２、ＩＤ＝３、ＩＤ＝４、ＩＤ＝５で無い場合（Ｎ）は、ステップＳ１４２７６に進み、当該ステップにて、処理方法ＩＤがＩＤ＝８で有るか無いかを判定する。
【手続補正２２】
【補正対象書類名】明細書
【補正対象項目名】０１８６
【補正方法】変更
【補正の内容】
【０１８６】
図２１のステップＳ１４２８にて、Ｃｇが有る場合は、図２６において、ステップＳ１４２８１にて、図１４ポリシを参照し、処理方法ＩＤを取得する。
【手続補正２３】
【補正対象書類名】特許請求の範囲
【補正対象項目名】請求項５
【補正方法】変更
【補正の内容】
【請求項５】
事業者のデータ提供者用装置から提供される元データを受け、当該元データをデータ享受者用装置に提供する基盤事業者用装置を備え、複数の事業者間でデータを共有するデータをデータクレンジング処理する顧客別データクレンジング処理システムにおいて、
前記基盤事業者装置は、
前記データ提供者用装置からの元データをデータクレンジング処理するデータクレンジング処理制御装置及び前記元データの各フィールドに生じうる不正値を定義する不正値マスタ、前記元データの各フィールドに生じうる不正値に対する処理方法を有するデータクレンジング処理ポリシマスタを有し、
前記データ提供者用装置は、
前記元データに対して、当該データの値が不正値の場合、当該不正値が前記不正値マスタのどの項目に対応するかを指定する手段を有し、
前記データ享受者用装置は、
前記元データに対して網羅的に準備したフィールド型属性型に対して、不正値に対する処理ポリシを設定する手段を有し、
前記データクレンジング処理制御装置は、
前記データ提供者用装置側にて設定した元データのフィールド型属性情報に対して、前記データ享受者用装置側にて設定した処理ポリシを前記データクレンジング処理ポリシマスタから読み取る読取手段と、当該読み取ったデータクレンジング処理ポリシに従って前記元データをデータクレンジング処理する制御手段と、を有する
ことを特徴とする顧客別データクレンジング処理システム。
【手続補正２４】
【補正対象書類名】図面
【補正対象項目名】図１１
【補正方法】変更
【補正の内容】
【図１１】
2014199504.tif 000001
【手続補正２５】
【補正対象書類名】図面
【補正対象項目名】図１５
【補正方法】変更
【補正の内容】
【図１５】
2014199504.tif 000002
【手続補正２６】
【補正対象書類名】図面
【補正対象項目名】図１８
【補正方法】変更
【補正の内容】
【図１８】
2014199504.tif 000003
【手続補正２７】
【補正対象書類名】図面
【補正対象項目名】図１９
【補正方法】変更
【補正の内容】
【図１９】
2014199504.tif 000004